(57)【要約】【課題】表示ムラや表示不良が発生しないような電気泳動表示装置の製造方法を提供すること。【解決手段】少なくとも一方が透明である対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置、を製造する方法であって、一方の基板上に所定のパターンで隔壁を形成する隔壁形成工程と、前記隔壁で区画された各領域をセルとして、前記表示媒体を配置する表示媒体配置工程と、前記一方の基板の前記隔壁の頂面に他方の基板を接着する他方基板接着工程と、を備え、前記他方基板接着工程において、硬いローラーが前記他方の基板の上方から押し当てられて、余分な表示媒体が押し出されながら当該他方の基板が接着されることを特徴とする。【選択図】図６
2013210529.tif 000002
【特許請求の範囲】
【請求項１】
少なくとも一方が透明である対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置、を製造する方法であって、
一方の基板上に所定のパターンで隔壁を形成する隔壁形成工程と、
前記隔壁で区画された各領域をセルとして、前記表示媒体を配置する表示媒体配置工程と、
前記一方の基板の前記隔壁の頂面に他方の基板を接着する他方基板接着工程と、
を備え、
前記他方基板接着工程において、ショアＤ８０度以上の硬度のローラーが前記他方の基板の上方から押し当てられて当該他方の基板が接着される
ことを特徴とする電気泳動表示装置の製造方法。
【請求項２】
前記他方基板接着工程では、ショアＤ１００度以上の硬度のローラーが用いられる
ことを特徴とする請求項１に記載の電気泳動表示装置の製造方法。
【発明の詳細な説明】
【技術分野】
【０００１】
本発明は、電子ペーパー等に応用されている電気泳動表示装置に関する。
【背景技術】
【０００２】
電気泳動表示装置は、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置では、しかし、粒子の沈降や偏在に起因して、表示の不良、特にコントラストの低下が生じることがある。この現象を防止するべく、上下の電極基板間に隔壁を形成して、電気泳動する粒子の泳動空間、すなわち移動空間を微小な空間に分割することが採用されている。この微小な空間は、セルあるいは画素と呼ばれている。各セルの中に、電気泳動体を含むインキ（表示媒体）が封入されている。例えば特許文献１（特開２００５−２０２２４５号公報）には、そのようなタイプの電気泳動表示装置の従来例が開示されている。
【０００５】
また、本件出願人による特許文献２（特開２０１２−０１３７９０号公報）には、セルを区画する隔壁上にのみ接着剤を塗工し、隔壁と基板との接着を確実にする方法が開示されている。
【先行技術文献】
【特許文献】
【０００６】
【特許文献１】特開２００５−２０２２４５号公報
【特許文献２】特開２０１２−０１３７９０号公報
【発明の概要】
【発明が解決しようとする課題】
【０００７】
本件発明者は、隔壁と基板との接着状況について鋭意研究を重ねるうち、以下のような知見を得るに至った。
【０００８】
まず、隔壁と基板との接着が不十分である場合には、外部から局所的な圧力が加えられた時に表示媒体がセル間を移動してしまって、いわゆる表示ムラ（圧力痕）が発生してしまう。従って、隔壁と基板との接着については、所望の程度以上になされる必要がある。
【０００９】
これに関連して、本件発明者は、セル内に余分な量の表示媒体が充填されてしまった場合、当該表示媒体を押し出してセル内の表示媒体を適正量にしてから接着（封止）することが重要であることを知見した。セル内に余分な量の表示媒体が残存していると、隔壁と基板との接着が不十分になり易いためである。
【００１０】
しかし一方で、あるセル内の表示媒体を押し出しすぎて、セル内の表示媒体の量に不均一が生じても、表示ムラが発生してしまう。すなわち、セル内の表示媒体を押し出してセル内の表示媒体を適正量に均一にすることが重要である。
【００１１】
本発明は、このような事情に基づいて行われたものであり、その目的は、表示ムラや表示不良が発生しないような電気泳動表示装置の製造方法を提供することにある。
【課題を解決するための手段】
【００１２】
本発明は、少なくとも一方が透明である対向する２枚の基板間に少なくとも１種以上の電気泳動体を含む表示媒体が封入されていて、前記２枚の基板間に所定の電界が与えられる際に前記表示媒体が所定の情報を表示する、電気泳動表示装置、を製造する方法であって、一方の基板上に所定のパターンで隔壁を形成する隔壁形成工程と、前記隔壁で区画された各領域をセルとして、前記表示媒体を配置する表示媒体配置工程と、前記一方の基板の前記隔壁の頂面に他方の基板を接着する他方基板接着工程と、を備え、前記他方基板接着工程において、ショアＤ８０度以上の硬度のローラーが前記他方の基板の上方から押し当てられて当該他方の基板が接着されることを特徴とする電気泳動表示装置の製造方法である。
【００１３】
本発明によれば、ショアＤ８０度以上の硬度のローラーが他方の基板の上方から押し当てられることにより、セル内の表示媒体がセル内の容積に一致した均一な量となるように押し出される。従って、セル内の表示媒体が適正量に均一になるため、表示ムラの発生が防止される。
【００１４】
なお、本明細書におけるショアＤの測定は、ＪＩＳ  Ｋ  ６２５３デュロメータ法が用いられた。
ローラーの硬さは、硬ければ硬い方が、ラミネート圧力が分散されて、ローラの圧力で表示媒体を押し出し過ぎることを防止できて好ましい。具体的には、前記他方基板接着工程では、ショアＤ１００度以上の硬度のローラーが用いられることが好ましい。
【発明の効果】
【００１５】
本発明によれば、硬いローラーが他方の基板の上方から押し当てられることにより、セル内の表示媒体が均一な量となるように押し出される。従って、セル内の表示媒体が適正量に均一になるため、表示ムラの発生が防止される。
【図面の簡単な説明】
【００１６】
【図１】図１は、本発明の一実施の形態による電気泳動表示装置の製造方法を概略的に示すフロー図である。
【図２】図２は、隔壁形成工程の一例を概略的に示す図である。
【図３】図３は、接着層形成工程の一例を概略的に示す図である。
【図４】図４は、表示媒体配置工程の一例を概略的に示す図である。
【図５】図５は、導電性ペーストの機能を説明するための概略図である。
【図６】図６は、他方基板接着工程の一例を概略的に示す図である。
【発明を実施するための形態】
【００１７】
図１は、本発明の一実施の形態による電気泳動表示装置の製造方法を概略的に示すフロー図である。図２は、隔壁形成工程の一例を概略的に示す図である。図２に示すように、まず、一般には水平方向に載置される一方の基板１１（バックプレーン基材（ＢＰ））の上面に、例えばフォトリソグラフィ法（紫外線（ＵＶ）照射による露光→現像→焼成）によって、所定のパターンの隔壁１２が形成される。隔壁１２は、後述する複数のセルの下面と側面とを規定する部材である。隔壁の厚みは、５〜５０μｍ、好ましくは８〜３０μｍである。セルのサイズは、表示パネルの大きさにもよるが、０．０５〜１ｍｍピッチ、好ましくは０．１〜０．５ｍｍピッチである。
【００１８】
次に、隔壁１２上に接着層が形成される（接着層形成工程）。図３は、接着層形成工程の一例を概略的に示す図である。図３に示す接着層形成工程では、まず、例えばポリエチレンテレフタレート（ＰＥＴ）フィルムからなる転写フィルム基材２１にヒートシール剤２２（以下、「接着層」とも言う。）が塗工されることによって、転写フィルム２０が作成される。ヒートシール剤２２は、１〜１００μｍの厚みで塗工される。好ましくは、１〜５０μｍの厚みで塗工され、特に好ましくは、１〜１０μｍの厚みで塗工される。ヒートシール剤２２は、後述するように、熱可塑性樹脂によって構成されている。
【００１９】
そして、そのような転写フィルム２０のヒートシール剤側の面が、隔壁１２上に載せられ、転写フィルム２０の自重のみがかかる状態で、あるいは、さらに所定の押圧力を受けながら、その軟化温度を超える温度にまで加熱される（加熱貼合：熱転写）。その後、転写フィルム２０を剥離すると、ヒートシール剤２２が隔壁１２上に熱転写された状態で残る。
【００２０】
本実施の形態においては、隔壁１２の頂面の全面にヒートシール剤２２が熱転写される。熱転写時の押圧力としては、例えば１ｋＰａ程度が好ましい。押圧力が小さいと、転写フィルムからのヒートシール剤の転写が不十分である。一方、押圧力が大き過ぎると、ヒートシール剤が潰れてセル内に入り込んでしまったり、隔壁パターン以外のヒートシール剤をも転写されてしまう可能性がある。また、熱転写時の加熱温度は、１２０℃程度が好ましい。
【００２１】
図１に戻って、接着層（ヒートシール剤）２２が形成された後に、隔壁１２または隔壁１２及び接着層２２で区画された各領域に、表示媒体としてのインキ１３が配置される（表示媒体配置工程）。図４は、表示媒体配置工程の一例を概略的に示す図である。ここでは、（１）ディスペンサ３１あるいはインクジェット、ダイコートからインキ１３が滴下され、（２）中央スキージ３２あるいはドクターブレード、ドクターナイフによって面内均一となるようにインキ１３が塗工され、（３）更に両端スキージ３３ａ、３３ｂあるいはドクターブレード、ドクターナイフによって、はみ出た余剰インキが掻き取られ、（４）最後にワイパ３４によって、一辺側に集まった余剰インキが拭き取られる。
【００２２】
図１に戻って、表示媒体配置工程の後で、導電性ペースト塗布工程が実施される。図５は、導電性ペーストの機能を説明するための概略図である。導電性ペースト１４は、例えば銀ペーストのような金属ペーストであり、例えばディスペンサ４１あるいはインクジェット、タンポ印刷、パット印刷、スタッピング印刷によって所定位置に塗布される。導電性ペースト１４は、図５に示すように、他方の基板１６（フロントプレーン基材（ＦＰ））に電圧をかけるための配線として機能する。一方の基板１１の電極パターンと他方の基板１６の電極パターンとの間に所定の電界（電圧）が与えられる際、表示媒体であるインキ１３中の電気泳動粒子が駆動され、文字パターン等の所定の情報が表示される。その後、電界が与えられなくなっても、新たな電界が両基板間に与えられるまで、当該情報表示状態が維持される。
【００２３】
その後、隔壁１２上の接着層２２上に、一方の基板１１に対して対向する他方の基板１６が接着される（他方基板接着工程）。これにより、複数のセルの各上面が規定されて、表示媒体（インキ１３）が各セル内に封止される。
【００２４】
他方基板接着工程は、図６に示すように、接着層として転写されたヒートシール剤２２を加熱させて接着力を得るようになっている。具体的には、ラミネータ９１によって所定の熱圧着圧力、すなわちラミネート圧力を付与しながら、ヒートシール剤２２を周辺からその軟化温度を超える温度にまで加熱して軟化させることによって、隔壁１２と他方の基板１６とを接着する。
【００２５】
ここで、本実施の形態においては、ラミネータ９１として硬いローラーが他方の基板１６の上方から押し当てられて、余分な表示媒体が押し出されながら他方の基板１６が隔壁１２の頂面上に接着される。硬いローラーとは、例えば、ショアＤ８０度以上の硬度のローラーである。このように硬いローラーがラミネータ９１として用いられることにより、各セル内の表示媒体（インキ１３）が当該セル内の容積に一致した均一な量となるように押し出される。
【００２６】
なお、ラミネータ９１においては、上方のローラーのみならず、下方のローラーもショアＤ８０度以上であるか、あるいは、下方側がステージで構成されることが好ましい。後者の場合、ラミネート圧力が分散されるため、上方のローラーの圧力で表示媒体を押し出し過ぎることを防ぐことができる。
更に、本実施の形態では、ラミネータ９１による接着の後で、さらに両基板１１、１６の四辺（周辺部）を熱圧着する四辺熱圧着工程が実施される。具体的には、両基板１１、１６の四辺（周辺部）の下方にホットプレート９２を敷いておいて、両基板１１、１６の四辺部を内側から外側に金属片９３でラミネート圧を加えることで実施される。
【００２７】
その後、図１に示すように、ギロチン、上刃スライド装置、レーザカット装置、レーザーカッター等の断裁装置５１によって所定のサイズに断裁され、さらにその後、外周封止処理が施されて、所望の電気泳動表示装置の製造が完了する。
【００２８】
以上のように、本実施の形態によれば、ヒートシール剤２２を接着層として用いることにより、簡便なプロセスでありながらセル形成のための隔壁１２と他方の基板１６との接着を好適に実施できる。また、ヒートシール剤２２を熱転写する際に転写フィルム２０を用いることにより、隔壁１２上への高精度のアライメントが不要である一方、隔壁１２頂面のみに確実にヒートシール剤２２を熱転写できる。
【００２９】
また、接着層として熱転写されたヒートシール剤２２は、熱可塑性材料からなる場合においては、常温においてはタック（ねばつき）が無いため、取り扱いの便宜が極めて良い。また、タック（ねばつき）が無いことによって、その後の表示媒体配置工程が容易である。具体的には、スキージあるいはドクターブレード、ドクターナイフ等を用いて表示媒体を配置しても、表示媒体（インキ１３）がヒートシール剤２２と接着してしまうことがない。
【００３０】
そして、本実施の形態によれば、他方基板接着工程（図６）において、ラミネータ９１として硬いローラーが他方の基板１６の上方から押し当てられることにより、各セル内の表示媒体（インキ１３）が当該セル内の容積に一致した均一な量となるように押し出される。従って、各セル内の表示媒体が適正量に均一になるため、結果的に表示ムラの発生が防止される。
【００３１】
次に、本発明の製造対象としての電気泳動表示装置の各部材の材料ないし特性等について、さらに詳しく補足する。
【００３２】
一方の基板１１としては、樹脂フィルム、樹脂板、ガラス、エポキシガラス（ガラエポ）、セラミックス等の表面に金属等の導電性材料によって電極が形成されたものが用いられ得る。あるいは、金属板や、光透過性の基材が用いられてもよい。不透明な基材としては、電極面とは異なるもう一方の面を粗面下した不透明なガラス基材、電極面とは異なるもう一方の面に金属膜を蒸着した不透明な基材、染料や顔料を練り込んだ不透明樹脂基材、等が用いられ得る。
【００３３】
一方の基板１１の厚みは、１０μｍ〜２ｍｍが好適である。１０μｍよりも薄いと、パネルとしての強度を得ることができず、破損に至る危険度が増す一方、２ｍｍよりも厚いと、パネル重量が重くなり過ぎて取り扱いが不便になるし、コストも高くなるからである。
【００３４】
破損しにくく取り扱いが容易である好適な厚みの範囲は、５０μｍ〜１０００μｍ程度である。
【００３５】
一方の基板１１の表面には、メッキ処理による酸化防止処理が施されてもよい。また、一方の基板１１の裏面（外側）には、バリア層が設けられてもよい。バリア層の機能は、インキが水分を吸着することによる表示劣化を防止することである。バリア層は、上側基板は透明、下側基板は透明でも不透明でも良く、無機膜を蒸着することで得られる。あるいは、予めバリア層が形成されたフィルムが貼り合わせられてもよい。一方の基板１１の電極パターンの形成は、フォトリソ法、レーザ描画法、インクジェット法、スクリーン印刷法、フレキソ印刷法、等によって行われ得る。一方の基板１１として、ＴＦＴ基板が用いられてもよい。
【００３６】
一方の基板１１は、ロール状でもシート状でもどちらでも適用可能である。
【００３７】
隔壁１２は、紫外線硬化樹脂、熱硬化樹脂、常温硬化樹脂等によって構成可能であり、前述のように、５〜５０μｍの厚みに形成されることが好適である。５μｍ以下では、充填するインキ量が少なく、十分な表示特性、特にコントラストが得られない一方、１００μｍ以上では、パネルの厚みが厚すぎて、駆動電圧が上昇し過ぎてしまう。低駆動電圧で良好な表示特性が得られるという観点から、１０〜５０μｍの範囲の厚みが好適である。
【００３８】
隔壁１２のパターン形状は、円、格子、多角形など、基本的に任意である。開口率は、７０％以上が好ましく、特に９０％以上が好ましい。高開口率であるほど、表示可能エリアが広くなるため、高コントラストを得ることができる。
【００３９】
隔壁１２の形成方法は、フォトリソグラフィ法の他、エンボス加工などの型転写方法も採用され得る。さらに、メッシュ加工の構造物を隔壁として製造しておいて、それを一方の基板１１に貼り付けるという方法も採用され得る。
【００４０】
ヒートシール剤２２としては、熱可塑性材料を用いたものが好ましく、加熱により軟化して、冷却すると固化する性質を有し、冷却と加熱を繰り返した場合に、塑性が可逆的に保たれる材料である。熱可塑性材料からなるヒートシール剤を接着層として用いた場合には、転写フィルム基材上の固化しているヒートシール剤をその軟化温度を超える温度にまで加熱することにより軟化させて、隔壁頂面のみに確実にヒートシール剤を熱転写できる。また、熱転写後のヒートシール剤は常温まで冷却して再び固化することにより、タック（ねばつき）が無くなるため、取り扱いの便宜が極めて良い。また、タック（ねばつき）が無いことによって、セル内に充填された表示媒体がヒートシール剤と接着してしまうことがない。そして、再び隔壁頂面のヒートシール剤をその軟化温度を超える温度にまで加熱して軟化させることにより、タック（ねばつき）を有するようになるため、他方の基板が確実に接着される。他方の基板の接着後のヒートシール剤は、再び常温においてはタック（ねばつき）が無いため、やはり表示媒体がヒートシール剤と接着してしまうことがなく、表示品質の低下のおそれもない。具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００４１】
隔壁１２とヒートシール剤２２との密着性を上げるために、隔壁１２に紫外線照射やプラズマ処理などにより表面処理が施されてもよいし、プライマーが形成されてもよい。あるいは、ヒートシール剤２２の方にシランカップリング剤が添加されてもよい。
【００４２】
他方の基板１６としては、ＰＥ、ＰＥＴ、ＰＥＳ、ＰＥＮ等の透明フィルムに、ＩＴＯ、ＺｎＯ等の透明電極を付したものが、典型的に用いられ得る。透明電極は、塗工法や蒸着法等によって形成され得る。
【００４３】
他方の基板１６の厚みも、一方の基板１１の厚みと同様に、１０μｍ〜２ｍｍが好適である。１０μｍよりも薄いと、パネルとしての強度を得ることができず、破損に至る危険度が増す一方、２ｍｍよりも厚いと、パネル重量が重くなり過ぎて取り扱いが不便になるし、コストも高くなるからである。破損しにくく取り扱いが容易である好適な厚みの範囲は、５０μｍ〜５００μｍ程度ある。もっとも、本発明における他方の基板１６の柔軟性ないし厚みは、他方基板接着工程においてラミネータ９１としてのローラーの硬さが隔壁１２の側に伝達される（影響を及ぼす）程度である必要がある。そのような場合に、硬いローラーがスキージのように作用して、他方の基板１６がセル内に波打つように入り込むことなく均一に表示媒体（インキ１３）を押し出すことができる。
他方の基板１６には、更なる機能層が付加され得る。例えば、他方の基板１６の表面に、バリアフィルムが貼付され得る。予め透明無機膜のバリア層が蒸着等で形成された透明フィルムが他方の基板１６として採用されても、これと同様の機能を発揮できる。あるいは、他方の基板１６の表面に、紫外線カットフィルムが貼付され得る。他方の基板１６の表面に他の紫外線カット処理が施されても、これと同様の機能を発揮できる。その他の表面コート層として、ＡＧ層（防眩層）、ＨＣ層（傷防止層）、ＡＲ層（反射防止層）などが付加され得る。
【００４４】
他方の基板１６も、ロール状でもシート状でもどちらでも適用可能である。
【００４５】
外周封止剤は、紫外線硬化樹脂の他に、熱硬化樹脂、常温硬化樹脂、ヒートシール樹脂等によっても構成可能である。それらは、ディスペンサによって、あるいは、各種の印刷法によって、あるいは、熱圧着によって、両方の基板１１，１６の周辺に適用される。
【００４６】
次に、実際に行われた実施例と比較例について説明する。
【００４７】
＜実施例１＞
一方の基板１１として、１５０ｍｍ×１５０ｍｍ×厚さ０．７ｍｍの無アルカリガラス（日本電気硝子製ＯＡ−１０Ｇ）の一方の面にＣｕ電極である電極がパターン状に形成されたものが用いられた。Ｃｕ電極のパターン形成は、一般的なエッチング法によって形成された。
【００４８】
次に、当該一方の基板１１に、ネガ型感光性樹脂材料（デュポンＭＲＣドライフィルムレジスト（株）製のドライフィルムレジスト）を３０μｍの厚さにラミネートして１００℃、１分間の条件で加熱し、次いで露光マスクを使用して露光（露光量５００ｍＪ／ｃｍ２  ）し、その後、１％ＫＯＨ水溶液を用いた現像を３０秒行い、２００℃、６０分間の条件で焼成することで、頂面線幅１０μｍ、セルピッチ６００μｍ、開口率９０％の格子状パターンの隔壁１２が形成された。
【００４９】
そして、転写フィルム基材２１として厚さ５０μｍのポリエチレンテレフタレート（ＰＥＴ）フィルム（帝人・デュポン社製）が用いられ、これにヒートシール剤２２（東洋紡製バイロンＵＲ１４００）が厚さ１０μｍでダイコータにて塗布され、乾燥された。これにより、１０μｍの接着層２２を有するロール状の転写フィルム２０が作製された。
【００５０】
そして、隔壁１２の上面に転写フィルム２０が載せられた状態で、１ｋＰａ程度の押圧力をさらに付与しつつ、ヒートシール剤２２の周辺がその軟化温度を超える温度、例えば１２０℃程度にまで加温され、その結果、厚さ５μｍのヒートシール剤２２が隔壁１２の頂面の全面に熱転写された。この場合の熱転写率は、５μｍ／１０μｍ＝５０％ということになる。
【００５１】
続いて、表示媒体として、以下の成分を有するインキ１３が用いられ、ディスペンサ３１から滴下されて、中央スキージ３２（ニューロング製のスキージ１：ウレタン樹脂製）にてスキージ処理されて、各セル内に充填された。基板幅方向にはみ出した余剰インキは、別の両端スキージ３３ａ、３３ｂ（ニューロング製のスキージ２：ウレタン樹脂製）にて掻き取られ、さらにロールワイパ３４にて拭き取られた。
【００５２】
＜インキ成分＞
・電気泳動粒子（二酸化チタン）・・・６０重量部
・分散液                      ・・・４０重量部
続いて、隔壁パターン外周の一部（２ｍｍ×２ｍｍの正方形領域）に、銀ペースト（藤倉化成製）がディスペンサ４１によって点塗布された。
【００５３】
次いで、他方の基板１６として、厚さ１００μｍのポリエチレンテレフタレート（ＰＥＴ）フィルム（帝人・デュポン社製）の一方の面の全面に透明電極として厚さ０．２μｍの酸化インジウムスズ（ＩＴＯ）蒸着膜が設けられた基板が用意された。透明電極は、スパッタリング、真空蒸着法、ＣＶＤ法などの一般的な成膜方法によって形成され、酸化インジウムスズ（ＩＴＯ）の他に、酸化亜鉛（ＺｎＯ）、酸化スズ（ＳｎＯ）等によっても形成され得る。
【００５４】
そして、大気中にて、一方の基板１１の隔壁１２上の接着層２２の上に他方の基板１６を配置し、重ね合わせて、ラミネータ９１によって一定の熱圧着圧力をさらに付与しつつ、隔壁１２内のセル容積を超える余剰のインクを押し出しながら、一方の基板１１の隔壁１２と他方の基板１６とが密着された（図６参照）。ラミネータ９１としては、ショアＤ硬度が８０度であるエボナイト製ゴムローラーが用いられた。熱圧着時の温度は、１２０℃であった。また、熱圧着圧力は、０．１ＭＰａであった。熱圧着圧力は、０．０１〜０．７ＭＰａが好ましく、特には０．１〜０．４ＭＰａが好ましい。
【００５５】
その後、所定のサイズに断裁され、両方の基板１１，１６の周辺にディスペンサ（不図示）を用いて紫外線硬化樹脂（イー・エッチ・シー（株）製：ＬＣＢ−６１０）を塗工して封止し、紫外線を露光（露光量７００ｍＪ／ｃｍ２  ）して硬化させた（外周封止処理）。以上により表示パネルが作製された。
【００５６】
以上のようにして得られた表示パネルについて、略水平状態にセットして、表示のコントラストを評価したが、表示面内均一で極めて良好であった。顕微鏡で他方の基板（フロントプレーン基材）側から画素を観察した結果、一方の基板（バックプレーン基材）側は見えなかった。インキの充填量が十分であり、遮蔽性が高いため、コントラストが良好であった。
【００５７】
＜実施例２＞
前記実施例１に対して、ラミネータ９１として、ショアＤ硬度が８０度であるエボナイト製ゴムローラーの代わりに、ショアＤ硬度が１００度である金属製ゴムローラーが用いられた。その他は同じ工程で、表示パネルを作製した。
【００５８】
以上のようにして得られた表示パネルについて、略水平状態にセットして、表示のコントラストを評価したが、表示面内均一で極めて良好であった。顕微鏡で他方の基板（フロントプレーン基材）側から画素を観察した結果、一方の基板（バックプレーン基材）側は見えなかった。インキの充填量が十分であり、遮蔽性が高いため、コントラストが良好であった。
【００５９】
＜比較例＞
前記実施例１に対して、ラミネータ９１として、ショアＤ硬度が８０度であるエボナイト製ゴムローラーの代わりに、ショアＤ硬度が６０度であるウレタン製ゴムローラーが用いられた。その他は同じ工程で、表示パネルを作製した。
【００６０】
以上のようにして得られた表示パネルについて、略水平状態にセットして、表示のコントラストを評価したが、実施例１及び実施例２の表示パネルよりも劣っていた。顕微鏡で他方の基板（フロントプレーン基材）側から画素を観察した結果、一方の基板（バックプレーン基材）側が透けて見えていた。インキの充填量が少なく、十分なコントラストが得られなかった。
【符号の説明】
【００６１】
１１  一方の基板（バックプレーン基材）
１２  隔壁
１３  インキ（表示媒体）
１６  他方の基板（フロントプレーン基材）
２０  転写フィルム
２１  転写フィルム基材
２２  ヒートシール剤（接着層）
３１  ディスペンサ
３２  中央スキージ（スキージ１）
３３ａ、３３ｂ  両端スキージ（スキージ２）
３４  ロールワイパ
４１  ディスペンサ
５１  断裁装置
９１  ラミネータ
９２  ホットプレート
９３  金属片
【図１】
2013210529.tif 000003
【図２】
2013210529.tif 000004
【図３】
2013210529.tif 000005
【図４】
2013210529.tif 000006
【図５】
2013210529.tif 000007
【図６】
2013210529.tif 000008